(57)【要約】      （修正有）【課題】  女性用衣類のハンガーが所望の強度と耐久性とを備え、衣類の形状を着衣状態に似せて陳列できるようにする。【解決手段】  本発明の女性用衣類のハンガー１０は、吊り下げ用フックと、身体の外形に模して形成された外形フレーム２と、外形フレーム２に対し前方へ突出可能に設けられたバスト部フレーム４とを備えている。バスト部フレーム４は、その端部を外形フレーム２の軸受部５に挿入することにより、回転可能に設けられ、前方に張り出るように掛け渡されたストッパ桟６に当接することにより、回転が停止し使用状態となる。ブロック体１は、吊り下げ用フック１１と外形フレーム２とを連結するが、複数に分岐した形状の連結部材３を外形フレーム２に一体的に形成し、この連結部材３を介してブロック体１に連結することで、所望の強度と耐久性とを備える。【選択図】    図１
2006296955.tif 000002
【特許請求の範囲】
【請求項１】
衣類の形状を着衣状態に似せて保持するハンガーであって、
吊り下げ用フックと、身体の外形に模して形成された外形フレームと、該外形フレームに対し前方へ突出可能に設けられたバスト部フレームとを備えていることを特徴とする女性用衣類のハンガー。
【請求項２】
前記外形フレームのバスト部には、前記バスト部フレームの端部を挿入する軸受部を備えていることを特徴とする請求項１に記載の女性用衣類のハンガー。
【請求項３】
前記軸受部の下方には、前方に張り出るように前記外形フレームに掛け渡されてストッパ桟を設け、
前記バスト部フレームが前記ストッパ桟に当接し、回転が停止可能となっていることを特徴とする請求項１または２に記載の女性用衣類のハンガー。
【請求項４】
前記吊り下げ用フックは、ブロック体を介して前記外形フレームに連結されていることを特徴とする請求項１ないし３の何れかに記載の女性用衣類のハンガー。
【請求項５】
前記外形フレームにおける前記ブロック体側の端部には、前記外形フレームから複数に分岐した形状の連結部が一体的に形成され、
前記外形フレームは、前記連結部を介して前記ブロック体に連結されていることを特徴とする請求項１ないし４の何れかに記載の女性用衣類のハンガー。
【請求項６】
前記ブロック体が木製で、前記外形フレームおよび前記バスト部フレームがスチール製であることを特徴とする請求項１ないし５の何れかに記載の女性用衣類のハンガー。
【請求項７】
前記外形フレームの下方は、摩擦抵抗の大きい樹脂でコーティングされることにより滑り止め処理されていることを特徴とする請求項１ないし６の何れかに記載の女性用衣類のハンガー。
【請求項８】
前記外形フレームのヒップ部には、着丈の浅いショーツを掛止する掛止フックが設けられていることを特徴とする請求項１ないし７の何れかに記載の女性用衣類のハンガー。
【請求項９】
２つの凹部を設けた保持部材をさらに備えており、当該保持部材の一方の凹部に前記ストッパ桟が挿入され、他方の凹部に前記バスト部フレームの補助バーが挿入されることにより、前記バスト部フレームの回転が規制されていることを特徴とする請求項１ないし８の何れかに記載の女性用衣類のハンガー。
【発明の詳細な説明】
【技術分野】
【０００１】
女性用の水着やインナーなどの衣類を着衣状態に似せて陳列するハンガーに関する。
【背景技術】
【０００２】
購入者が衣類を選択する際に、その形状が着衣状態に似せて陳列されていると着衣状態がイメージできるので好都合である。また、特に、女性用の水着やインナーであった場合は、清潔感を漂わせることが必須の要件となる。特開平９−２０１２６２号公報には、人体の胴体正面の輪郭をフレームで平面状に形成してなる陳列のための女性用水着ハンガーが開示されている。このハンガーは、フレームを可撓性材料で形成し、フレームが形成する平面内に胸部の位置で左右方向に軸を配設し、フレーム内向きに凸を成す対称な二つの放物線の帯が、その両端を上下方向に位置させる形でフレームに一体化して設けられているものである。そして、各放物線の頂点からは左右方向フレーム外向きに帯が分岐し、その帯の端部をフレームに当接させると、放物線の帯がフレームを形成する平面から隆起してバストラインが立体的に形成できるものである。
【０００３】
特開２００２−１３６４１６号公報には、合成樹脂製で形成される水着用のハンガーが開示されている。この水着用ハンガーは、胸の頂部が近接する状態で枠型ボディの側方から内方に向けて折り起こし部材を形成したものである。そして、折り起こし部材は、Ｕ字状の端部が薄肉に形成されてその端部を回転させることにより起伏するように構成されている。また、各胸部形成用折り起こし部材のＵ字状の頂部内側から枠型ボディの側方に向けて延出された支持桿が設けられており、この支持桿の先端の球状掛止部を受け部で受け止めることにより、折り起こし部材の折り起こし状態が保持されるように形成されている。しかし、回転部を合成樹脂製で形成したハンガーであった場合は、繰り返し回転させることによる回転部の劣化は避けられない。吊り下げられる衣服を映えるようにするために、質量感に富んだスチール製ハンガーもあるが、スチール製であった場合でも、その総てをスチール製としたのでは、必ずしも目的が達成できるようなものにはならず、重くなりすぎるという問題点を有する。
【特許文献１】特開平９−２０１２６２号公報には、
【特許文献２】特開２００２−１３６４１６号公報
【発明の開示】
【発明が解決しようとする課題】
【０００４】
女性用衣類のハンガーが所望の強度と耐久性とを備え、衣類の形状を着衣状態に似せて陳列できるようにし、且つ、吊り下げられる衣類を清潔感と高級感に溢れたイメージで陳列できるようにする。
【課題を解決するための手段】
【０００５】
本発明の請求項１の女性用衣類のハンガーは、衣類の形状を着衣状態に似せて保持するハンガーであって、吊り下げ用フックと、身体の外形に模して形成された外形フレームと、該外形フレームに対し前方へ突出可能に設けられたバスト部フレームとを備えていることを特徴とする。
請求項２の発明は、前記外形フレームのバスト部に前記バスト部フレームの端部を挿入する軸受部を備えていることを特徴とする。
請求項３の発明は、前記軸受部の下方に前方に張り出るように前記外形フレームに掛け渡されてストッパ桟を設け、前記バスト部フレームが前記ストッパ桟に当接し、回転が停止可能となっていることを特徴とする。
【０００６】
請求項４の発明は、前記吊り下げ用フックがブロック体を介して前記外形フレームに連結されていることを特徴とする。
請求項５の発明は、前記外形フレームにおける前記ブロック体側の端部には、前記外形フレームから複数に分岐した形状の連結部が一体的に形成され、前記外形フレームは、前記連結部を介して前記ブロック体に連結されていることを特徴とする。
請求項６の発明は、前記ブロック体が木製で、前記外形フレームおよび前記バスト部フレームがスチール製であることを特徴とする。
請求項７の発明は、前記外形フレームの下方が摩擦抵抗の大きい樹脂でコーティングされることにより滑り止め処理されていることを特徴とする。
請求項８の発明は、前記外形フレームのヒップ部には、着丈の浅いショーツを掛止する掛止フックが設けられていることを特徴とする。
請求項９の発明は、２つの凹部を設けた保持部材をさらに備えており、当該保持部材の一方の凹部に前記ストッパ桟が挿入され、他方の凹部に前記バスト部フレームの補助バーが挿入されることにより、前記バスト部フレームの回転が規制されていることを特徴とする。
【発明の効果】
【０００７】
本発明の女性用衣類のハンガーは、衣類を着衣状態に似せて陳列できる。これにより、購入者は試着等の手間が省けるので、衣類の選択に時間をかけることがなくなる。
外形フレームには軸受部が設けられ、この軸受部にバスト部フレームが回転可能に挿入されることにより、使用時にのみ、バスト部フレームを外形フレームから前方へ回転させて突出させることができる。
外形フレームにストッパ桟を前方に張り出させて掛け渡すことにより、バスト部フレームをストッパ桟に当接させて回転を停止することができる。この回転の停止により、バスト部フレームを前方へ回転させて突出させた使用の状態、もしくは外形フレーム内に収めた収納状態のいずれも達成される。
【０００８】
ブロック体を介して外形フレームが吊り下げ用フックに連結されているので、安定感がある。そして、外形フレームは、複数に分岐させた形状の連結部が一体的に形成されており、この連結部でフレームをブロック体に取付けているので、ブロック体に対してフレームが回り止めされて連結が確実である。
ブロック体を木製とするとともに、外形フレームやバスト部フレームをスチール製とすることにより、下げられる衣類を清潔感と高級感に溢れたイメージで陳列できる。
摩擦抵抗の大きい樹脂で外形フレームの下方をコーティングすることにより、引っ掛けるだけで陳列される衣類が滑り落ち難くなる。
掛止フックを設けることにより、外形フレームの下方において引っ掛けるだけで陳列される着丈の浅いショーツが落下し難くできる。
保持部材は、収納状態であっても使用状態であってもバスト部フレームを安定して保持できる。これにより、収納状態では、輸送中のがたつきが防止でき、且つ、倉庫内に収納した際にはばらつくことがなく、きれいに収納することができる。また、使用状態では、バスト部フレームを安定して保持でき、衣類の陳列を安定させることができる。
【発明を実施するための最良の形態】
【０００９】
図１は、本発明の女性用衣類のハンガーを示した収納状態における正面図であり、図２はその左側面図、図３はその平面図である。図４は図１におけるＢ部分の拡大図である。図５は回転可能なバスト部フレームを説明する説明図であり、図６は、使用状態における女性用衣類のハンガーを示したものである。図７および図８は、女性用衣類のハンガーの使用状態を示す。図９はブロック体がない他の形態の女性用衣類のハンガーを収納状態で示したものである。図１０はバスト部フレームの揺動が抑えられる保持部材を説明する説明図である。
【００１０】
この女性用衣類のハンガー１０は、女性用の衣類（特に、水着やインナー）の形状を着衣状態に似せて保持するものである。図１ないし３に示すように、本発明の女性用衣類のハンガー１０は、概略吊り下げ用フック１１を設けた木製のブロック体１の両側から、外形フレーム２がぶら下げられている。外形フレーム２は、細い円柱形状のスチールを曲げることにより、身体の外形に模して、バスト部２ａ、ヒップ部２ｂを左右に張り出させたものである。バスト部２ａには、バスト部フレーム４やストッパ桟６が設けられ、ヒップ部２ｂには掛止フック８が設けられている。そして、木製のブロック体１と外形フレーム２とは、外形フレーム２に固定された連結部材３（連結部）の端部をブロック体１に一部挿入させることにより連結されている。
【００１１】
連結部材３は外形フレーム２と同質の素材を略コの字形状に形成したものであり、外形フレーム２の両端部にその底部が溶接されて取付けられる。これにより、外形フレーム２は、その取付け部において、二つに分岐した連結部材３の端部が内側に向いたものとして形成される。通常木製のブロック体に円柱形状のスチールフレームを挿入して固定する場合には、時間の経過とともに、スチールフレームがブロック体に対して回転して外れ易くなる。しかし、本発明における女性用衣類のハンガー１０では、スチールフレームがブロック体に対して回転することがなく固定される。
【００１２】
他方、ブロック体１は、左右両側に外形フレーム２の連結部材３を取付ける平坦な取付け面を有しており、全体的には左右に広がる略凸形状の平板からなる。このようなブロック体１と外形フレーム２との連結は、ブロック体１の取付け面に、連結部材３の端部を挿入して固定される。これにより、外形フレーム２が木製のブロック体１に対して、より確実に回り止めされて連結される。尚、ブロック体１を木製素材として説明したが、合成樹脂や金属等でもよく、特に限定されることはない。
【００１３】
図４は図１におけるＢ部分の拡大図である。この図４に示されるように、外形フレーム２のバスト部２ａには、開口部を内側に向けた円筒形状の軸受部５が設けられ、バスト部フレーム４はその両端部が軸受部５の開口部に差し込まれている。これにより、バスト部フレーム４は回転可能に取付けられている。さらに、バスト部フレーム４にはストッパ桟６と平行に補助バー４ｂを介して突出させた接触球４ａを備え、軸受部５の下には、ストッパ桟６が前方に張り出るように掛け渡されている。
【００１４】
バスト部フレーム４の回転は、ストッパ桟６で止められるようになっている。このことは、図５に示したとおりであり、図５（ａ）の収納状態から、図５（ｂ）に示すように、バスト部フレーム４を２７０度回転させて使用状態とする。尚、図５（ｂ）はバスト部フレーム４を前方に突出させた使用の状態であり、図中、二点鎖線で示したバスト部フレーム４は、外形フレーム２の背面側での回転途中を示す。
【００１５】
図６はバスト部フレーム４を外形フレーム２の前方に突出させたハンガー１０を示したものであり、（ａ）は正面図、（ｂ）は左側面図、（ｃ）は（ａ）におけるＣ部分の拡大説明図である。この図６（ｃ）に示すように、使用状態においては、ストッパ桟６と平行に補助バー４ｂを介して突出させた接触球４ａを、ストッパ桟６に対して上方から当接させることにより、バスト部フレーム４の回転が止められて使用状態となる。因みに、ストッパ桟６およびバスト部フレーム４は、外形フレーム２と同サイズの細い円柱形状のスチールを曲げて形成されている。
【００１６】
図６中、Ａ−Ａ線より下方の外形フレーム２（掛止フック８を含む）には、摩擦抵抗の大きいコーティング材が塗布されている。コーティング材はヒップ部２ｂに掛けられるショーツ等を滑り落ち難くするものであり、エラストマー等の軟質合成樹脂のように、ある程度の弾性と伸縮性とを備えた材質が利用される。
【００１７】
図７は、セパレーツタイプの水着Ｅを、女性用衣類のハンガー１０に掛けた状態を示したものである。このように、女性用衣類のハンガー１０は、衣類が上下分離したセパレーツタイプであっても、着衣状態に似せて陳列できる。そして、ショーツＥは、摩擦抵抗の大きいコーティング材が塗布されている部分に掛けられているので、滑り落ち難いものとなっている。この形態においては、掛止フック８がなくてもよい。
【００１８】
図８は、特に、ローライズショーツＦのような着丈の浅いショーツを、裏側から、掛止フック８に掛けた使用の状態で示したものである。この掛止フック８は、外形フレーム２のヒップ部２ｂの内側に溶接等により接続させた細い円柱形状のスチールであり、外形フレーム２とほぼ平衡に１ｃｍ程度の隙間を有し、下方に向けて開口させたものである。この図８に示されるように、ローライズショーツＤは、その上縁が外形フレーム２と掛止フック８の間に挟み込まれることで、外れ難くなる。
【００１９】
図９は、収納状態におけるハンガー２０の正面図を示したものである。このハンガー２０は、吊り下げ用フック１１を直接外形フレーム２に取付けた形態であり、他の構成は上述したハンガー１０の構成と同一である。
【００２０】
図１０は、図９のＤ部分を拡大して示したものであり、樹脂パーツ（保持部材）７が収納状態におけるハンガー２０のバスト部フレーム４を固定した状態である。この樹脂パーツ７は、所定間隔で平行に並んでいるストッパ桟６とバスト部フレーム４に設けられた補助バー４ｂのそれぞれの外径で、半円筒形状の凹部を所定の間隔で設けたものである。そして、半円筒形状の凹部には、それぞれ、ストッパ桟６、補助バー４ｂを嵌め込むことにより、バスト部フレーム４の回転を抑える。これにより、運搬途中のがたつきが防止でき、且つ、倉庫内に収納した際には、ばらつくことがなくきれいに収納することができる。さらに、図１１は、樹脂パーツ（保持部材）７を使用状態で使用したことを示すものである。この使用状態は、図６（ｃ）に示したバスト部フレーム４を外形フレーム２の前方に突出させた状態である。これにより、使用状態で衣類の陳列を安定させることができる。
【図面の簡単な説明】
【００２１】
【図１】本発明の女性用衣類のハンガーを示した正面図である。
【図２】本発明の女性用衣類のハンガーを示した左側面図である。
【図３】本発明の女性用衣類のハンガーを示した平面図である。
【図４】図１におけるＢ部分の拡大図である。
【図５】（ａ）はバスト部フレームが外形フレームの背面側に収まっている状態であり、（ｂ）はバスト部フレームを前方に突出させた状態である。
【図６】（ａ）は使用状態における女性用衣類のハンガーを示した正面図であり、（ｂ）は左側面図、（ｃ）は（ａ）におけるＣ部分の拡大図である。
【図７】女性用衣類のハンガーの使用状態を示したものである。
【図８】掛止フックにローライズショーツを引っ掛けた状態を示す。
【図９】本発明の女性用衣類のハンガーを示した正面図である。
【図１０】図９におけるＤ部分の拡大図である。
【図１１】使用状態における保持部材を説明する説明図である。
【符号の説明】
【００２２】
１  ブロック体
２  外形フレーム
２ａ  バスト部
２ｂ  ヒップ部
３  連結部材
４  バスト部フレーム
５  軸受部
６  ストッパ桟
７  樹脂パーツ
８  掛止フック
１０、２０  女性用衣類のハンガー
１１  フック
【図１】
2006296955.tif 000003
【図２】
2006296955.tif 000004
【図３】
2006296955.tif 000005
【図４】
2006296955.tif 000006
【図５】
2006296955.tif 000007
【図６】
2006296955.tif 000008
【図７】
2006296955.tif 000009
【図８】
2006296955.tif 000010
【図９】
2006296955.tif 000011
【図１０】
2006296955.tif 000012
【図１１】
2006296955.tif 000013